(57)【要約】【課題】  ポジショナの運転状態をLEDなどの発光体から成る発光式表示器で表示するようにしたものにおいて、発光表示内容をカバー部に設けた表示部から容易に視認可能にすると共に、ポジショナ内の発光表示部とカバーの表示部とを光ファイバケーブル等の光誘導路手段で接続して、電気配線やLEDの取付け等に関連する問題点を解消すると共に、カバーの開閉に際しても光誘導路手段が邪魔とならないようにすることを課題とする。【解決手段】  バルブ用ポジショナに関するものであり、バルブを駆動する電動アクチュエータの動作角度を検出する角度検出手段と、該電動アクチュエータの出力制御を行う制御手段とを含み、ポジショナの想定する異常状態を含む運転状態を表出する発光表示手段を少なくとも一つ具備し、発光表示手段の発光色を、光誘導路手段でポジショナの外面に位置する表示部まで誘導するようにしたことを特徴とする。【選択図】  図１
2005273834.tif 000002
【特許請求の範囲】
【請求項１】
バルブを駆動する電動アクチュエータの動作角度を検出する角度検出手段と、該電動アクチュエータの出力制御を行う制御手段とを含むバルブ用ポジショナであって、ポジショナの想定する異常状態を含む運転状態を表出する発光表示手段を少なくとも一つ具備するバルブ駆動用ポジショナにおいて、発光表示手段の発光を光誘導路手段で、ポジショナの外面に位置する表示部まで誘導するようにしたことを特徴とするバルブ用ポジショナ。
【請求項２】
表示部が、ポジショナカバーのインジケータ窓部に設けられており、運転状態を表示する発光表示手段の発光色をインジケータ窓部において視認可能としたことを特徴とする請求項１記載のバルブ用ポジショナ。
【請求項３】
発光表示手段の発光色を誘導する光誘導路手段がポジショナカバー内部に取付けられており、該カバーの着脱時に光誘導路手段をカバーと共に着脱するようにしたことを特徴とする請求項１又は２記載のバルブ用ポジショナ。
【請求項４】
発光表示手段の発光体が光ダイオードからなり、光誘導路手段が光ファイバケーブルからなることを特徴とする請求項１乃至３のいずれかに記載のバルブ用ポジショナ。
【請求項５】
一端を発光表示手段の発光部に近接して位置させ、他端をインジケータ窓部のインジケータ部に位置させた光ファイバケーブルをポジショナカバー内部に取付け、光ファイバケーブルをポジショナカバーと共に着脱自在としたことを特徴とする請求項４記載のバルブ用ポジショナ。
【発明の詳細な説明】
【技術分野】
【０００１】
この発明は、バタフライ弁等のバルブのアクチュエータを制御するバルブ用ポジショナに関する。
【背景技術】
【０００２】
従来、管路を流過する流体を開閉、制御するバタフライ弁等の弁は公知であり広く実用に供されている。弁は通常管路内に位置する弁本体部と管路の外に位置するいわゆるアクチュエータと称せられる弁駆動部とから構成されており、弁体は弁駆動部からの駆動力で開閉作動される。弁駆動部の一種である電動アクチュエータは、バルブ用ポジショナによりアクチュエータの動作角度を検出し、該検出された動作角度と所定の設定値とに基づいて電動アクチュエータの出力制御を行い、所定の駆動力を弁体に付与している。
【０００３】
バルブ用ポジショナにおいて、制御系に応答の遅れや角度検出手段にガタがあると、電動アクチュエータの動作角度が安定せず、所定の範囲内で振動的に変化するいわゆるハンチングが発生する場合がある。このようなハンチングは、モータが短時間に正逆転を繰り返し、モータの異常発熱、異常摩耗、更には制御対象である電動アクチュエータへの二次的悪影響を生じ、動作信頼性を低下させるおそれがある。
【０００４】
そこで、従来かかるハンチングを検知する手段を備えたバルブ用ポジショナが特許第2977505号公報、特許第3007587号公報等に開示されており、又、特開2002-315372号公報にはハンチングを自動回避するようにしたものが開示されている。更に、特許第3004937号公報には、ポジショナ内部の異常温度上昇などを検知する手段を備えたものが開示されている。
【０００５】
【特許文献１】特許第２９７７５０５号公報
【特許文献２】特許第３００７５８７号公報
【特許文献３】特開２００２−３１５３７２号公報
【特許文献４】特許第３００４９３７号公報
【発明の開示】
【発明が解決しようとする課題】
【０００６】
アクチュエータにおけるハンチングや内部温度の上昇が検知されたとき、外部遠隔地にその異常状態を知らせると共に、運転の状態をメンテナンス者に知らせるために、ポジショナ内部に発光ダイオード等の発光体を備えた発光式表示器を内蔵したものが提案されている。特に発光ダイオード(LED)は、発熱量が少なく耐久性が高いため、この種表示器の発光体として好適であり、又多色の発光器を複数組み合わせることにより、異なった運転状態を光の変化で表示することが可能である。
【０００７】
しかしながら、ポジショナに内蔵された発光式表示器は、ポジショナの外部から視認することが困難であり、ポジショナのカバーを開放してLEDの表示パターンの組合せをみる必要があり、確認が不便であった。カバーに内部を視認可能な透明部を設けることも考えられるが、屋外にポジショナが設置される場合、透明部から直射日光が侵入し、ポジショナ内部の温度を上昇させて電子機器や回路等に悪影響を与えるおそれがあり、設置場所が限定される問題があった。
【０００８】
更に、ポジショナカバーの透明な窓部に近接してLEDを設置した場合、LEDの配線やLED固定具或いはLED固定用基板の製作等を考慮すると、開閉するカバー部に配線やLEDを取付けるのは、断線等のトラブルが発生しやすく、またカバー取外し時にLEDが見難いなどの問題を有している。
【０００９】
この発明は、ポジショナの運転状態をLEDなどの発光体から成る発光式表示器で表示するようにしたものにおいて、発光表示内容をカバー部に設けた表示部から容易に視認可能にすると共に、ポジショナ内の発光表示部とカバーの表示部とを光ファイバケーブルの如き光誘導路手段で接続して、電気配線やLEDの取付け等に関連する前記問題点を解消すると共に、カバーの開閉に際しても光誘導路手段が邪魔とならないようにすることを課題とする。
【課題を解決するための手段】
【００１０】
本発明は、バルブ用ポジショナに関するものであり、バルブを駆動する電動アクチュエータの動作角度を検出する角度検出手段と、該電動アクチュエータの出力制御を行う制御手段とを含み、ポジショナの想定する異常状態を含む運転状態を表出する発光表示手段を少なくとも一つ具備し、発光表示手段の発光を、光誘導路手段でポジショナの外面に位置する表示部まで誘導するようにしたことを特徴とする。
【００１１】
表示部が、ポジショナカバーのインジケータ窓部に設けられており、運転状態を表示する発光表示手段の発光色をインジケータ窓部において視認可能としたことを特徴とする。
【００１２】
発光表示手段の発光色を誘導する光誘導路手段がポジショナカバー内部に取付けられており、該カバーの着脱時に光誘導路手段をカバーと共に着脱するようにしたことを特徴とし、発光表示手段の発光体は光ダイオードからなり、光誘導路手段は光ファイバケーブルからなることを特徴とする。
【００１３】
一端を発光表示手段の発光部に近接して位置させ、他端をインジケータ窓部のインジケータ部に位置させた光ファイバケーブルをポジショナカバー内部に取付け、光ファイバケーブルをポジショナカバーと共に着脱自在としたことを特徴とする。
【発明の効果】
【００１４】
本発明のバルブ用ポジショナによれば、光ファイバケーブルの如き光誘導路手段を使用することが出来、安価で容易に発光表示手段の発光表示内容を外部に表示することが可能となる。光表示手段を内蔵したポジショナであれば、光ファイバケーブルにより容易に外部から視認出来る窓部に光表示内容を表出することが出来るとともに、光ファイバケーブルは非常に細いものを入手出来るため、容易に既存のポジショナに取付けることが出来る。更に、ポジショナカバーを開放することなく運転状態を確認することが出来るため、メンテナンス時間を短縮することが可能となる。
【発明を実施するための最良の形態】
【００１５】
この発明の好ましい実施の形態を、以下に詳細に説明する。図１、２を参照して、電動アクチュエータ(１)は、弁体に接続されるバルブ駆動軸(２)を備えており、本体ケーシング(３)と該本体ケーシング(３)を開閉するポジショナカバー(４)からなる。本体ケーシング(３)内は水平な隔壁(５)で上下室に分割され、下部室内においてバルブ駆動軸(２)には、モータ(６)が歯車伝導機構(７)を介して連結される。又、上部室内には、隔壁を貫通してバルブ駆動軸(２)が延び出していると共に、該バルブ駆動軸(２)に連結された位置決め部材(８)に接続され軸の回転角度を検出する角度検出手段(９)や、該検出された回転角度と予め設定された設定値に基づいて前記モータ(６)の出力制御を行う制御回路等からなるポジショナ部(10)が配設される。更に、該上部室内にはモータ(６)のハンチングを検出するハンチング検出回路、内部の温度を検出する温度センサー等の温度検出手段、該検出された温度を判定する温度判定回路等が設置される。
【００１６】
ハンチング検出回路、温度検出回路等で検出、判定されたハンチングの有無、温度等の運転状態は、適宜外部に出力されると共に、発光表示手段(11)に発光表示される。発光表示手段は、それぞれの運転状態を表示する複数の表示部から構成されており、ハンチング状態の有無や、温度の状態を異なった色彩で発光表示することが出来る。従来、本体ケーシング(３)の内部に配設された発光表示手段(11)の表示内容の確認は、ポジショナカバー(４)を開放して視認しており、操作が面倒であった。
【００１７】
この発明は、本体ケーシング(３)内に設置された発光表示手段(11)の発光体に近接して光ファイバケーブル等の光誘導路手段(12)の一端を配置し、他の一端をポジショナカバー(４)に形成されたインジケータ窓(13)の表示部(14)に配設して、発光表示手段(11)の発光を表示部(14)に誘導し、該表示部(14)から発光表示内容を視認可能としたことを特徴とする。光ファイバケーブル(12)は、ポジショナカバー(４)の内面に取付けられ、ポジショナカバー(４)と共に、本体ケーシング(３)から着脱させることが出来る。(15)は、光ファイバケーブル(12)の一端を発光表示手段(11)の発光部に安定に近接させるための光ファイバケーブル固定用部材である。インジケータ窓(13)には、弁体の開度を表示するための開度インジケータ(16)が位置づけられている。該開度インジケータ(16)はバルブ駆動軸(２)の先端に連結される。
【００１８】
発光表示手段(11)は、好ましくは発光ダイオード(LED)からなり、ハンチング、温度等の複数の運転状態をそれぞれ表示する複数の発光表示部からなり、ハンチングの有無や温度の変化に対応して異なった色彩の発光が発生するように構成される。従って、インジケータ窓(13)の表示部(14)に表出した発光色を見ることにより、ポジショナカバー(４)を開放することなく、ハンチングの有無や温度を確認することが出来、メンテナンスが容易となる。尚、表示部(14)は、インジケータ窓(13)に設ける必要はなく、他の箇所に設けても良く、又インジケータ窓(13)がない場合には、カバーの適宜位置に表示部を設ける。
【図面の簡単な説明】
【００１９】
【図１】この発明にかかるアクチュエータの概略的な構造を示す断面図
【図２】同平面図
【符号の説明】
【００２０】
(１)電動アクチュエータ
(２)バルブ駆動軸
(３)本体ケーシング
(４)ポジショナカバー
(５)隔壁
(６)モータ
(７)歯車伝導機構
(８)位置決め部材
(９)角度検出手段
(10)ポジショナ部
(11)発光表示手段
(12)光誘導路手段
(13)インジケータ部
(14)表示部
(15)光ファイバ固定用部材
(16)開度インジケータ
【図１】
2005273834.tif 000003
【図２】
2005273834.tif 000004